(57)【要約】【課題】実際に必要とされる能力分の処理速度で受信動作を行うための技術を提供する。【解決手段】チューナ（１０４）と、上記チューナの出力信号から番組情報・配信情報を抜き出す番組情報・配信情報分離部（１１４，１１４Ａ，１１４Ｂ）とを設ける。上記抜き出された情報より、セグメント数を抽出する使用セグメント数判定部（１１５，１１７）と、設定されたクロック信号に従って、上記チューナの出力信号に含まれる視聴対象パケットを処理する視聴対象パケット処理部（１０６）とを設ける。抽出されたセグメント数が上記閾値以下の場合には、上記クロック信号を第１クロック信号に設定し、セグメント数が上記閾値以下でない場合には、上記クロック信号を第１クロック信号よりも高速な第２クロック信号に設定するクロック制御部（１１３，１１８）を設ける。受信対象番組コンテンツの占有セグメント数に応じた内部動作モードの適応制御を可能にする。【選択図】図４
2011124910.tif 000002
【特許請求の範囲】
【請求項１】
チューナによって、デジタル放送サービスの放送波チャンネルの受信を行い、
番組情報・配信情報分離部によって、上記チューナの出力信号から番組情報・配信情報を抜き出し、
使用セグメント数判定部によって、上記抜き出された情報よりセグメント数を抽出し、
視聴対象パケット処理部によって、設定されたクロック信号に従って、上記チューナの出力信号に含まれる視聴対象パケットを処理し、
クロック制御部によって、上記使用セグメント数判定部で抽出されたセグメント数が、予め定めた閾値以下であるか否かを判定し、セグメント数が上記閾値以下の場合には、上記クロック信号を第１クロック信号に設定し、セグメント数が上記閾値以下でない場合には、上記クロック信号を第１クロック信号よりも高速な第２クロック信号に設定することを特徴とするデジタル放送番組受信方法。
【請求項２】
デジタル放送サービスの放送波チャンネルの受信を行うチューナと、
上記チューナの出力信号から番組情報・配信情報を抜き出す番組情報・配信情報分離部と、
上記番組情報・配信情報分離部によって、抜き出された情報より、セグメント数を抽出する使用セグメント数判定部と、
設定されたクロック信号に従って、上記チューナの出力信号に含まれる視聴対象パケットを処理する視聴対象パケット処理部と、
上記使用セグメント数判定部で抽出されたセグメント数が、予め定めた閾値以下であるか否かを判定し、セグメント数が上記閾値以下の場合には、上記クロック信号を第１クロック信号に設定し、セグメント数が上記閾値以下でない場合には、上記クロック信号を第１クロック信号よりも高速な第２クロック信号に設定するクロック制御部と、を含むことを特徴とするデジタル放送番組受信装置。
【請求項３】
上記番組情報・配信情報分離部は、コンテンツ配信情報を分離可能なコンテンツ配信情報分離部と、ストリーム番組情報を分離可能なストリーム番組情報分離部とを含み、上記コンテンツ配信情報についてのセグメント数と、ストリーム番組情報についてのセグメント数とが、それぞれ別個に判定される請求項２記載のデジタル放送番組受信装置。
【発明の詳細な説明】
【技術分野】
【０００１】
本発明は、デジタル放送番組受信方法及びデジタル放送番組受信装置に関し、例えば携帯通信端末に適用して有効な技術に関する。
【背景技術】
【０００２】
デジタル放送におけるモバイル向けマルチメディア放送として、いくつかのサービス候補があるが、その特徴として、（１）リアルタイム視聴とファイル型コンテンツのダウンロード視聴、（２）ダイナミックなコンテンツ配信編成、（３）セグメントごとにリアルタイムで変調方式を変更する効率的な伝送、（４）統合的なコンテンツナビゲーション、（５）ワンセグ互換、などが、挙げられる。また、番組情報や配信情報を専用に伝送する１つのセグメントを、パイロットセグメントと定義し、コンテンツナビゲーションに利用するなどの想定がなされている。
【０００３】
モバイル向けマルチメディア放送のサービス案については、非特許文献１に記載されている。
【０００４】
地上デジタル放送の受信・再生の規格、運用規定については、非特許文献２に記載されている。
【０００５】
ワンセグについては、非特許文献３に記載されている。
【先行技術文献】
【非特許文献】
【０００６】
【非特許文献１】「映像メディア学会誌  第62巻  第5号」２００８年  ＜小特集＞  現デジタル放送サービスの最前線、５.アナログ放送終了後の電波利用  ５−１．マルチメディア放送「ISDB-Tｍｍ」pp.692
【非特許文献２】総務省  情報通信審議会  情報通信技術分科会  放送システム委員会  マルチメディア放送システム作業班（第4回）平成21年1月26日（月）、資料4−5  VHF−LOW帯に適用可能な携帯端末向けマルチメディア放送の放送方式および置局条件に関する検討状況
【非特許文献３】「放送技術  第58巻  第7号」兼六出版  ２００５年＜連載＞現場技術者のための地上デジタル放送技術、（１０）デジタル放送用受信機pp.771
【発明の概要】
【発明が解決しようとする課題】
【０００７】
モバイル向けマルチメディア放送における、ダイナミックなコンテンツ配信編成、セグメントごとにリアルタイムで変調方式を変更する効率的な伝送においては、受信するセグメント数がコンテンツによって様々に異なり、その処理負荷も、それに応じて変わってくる。それについて本願発明者が検討したところ、受信するセグメント数がコンテンツによって様々に異なるにもかかわらず、一律な受信動作を行っていたのでは、省電力等の面で効率が良くないことが見いだされた。
【０００８】
本発明の目的は、実際に必要とされる能力分の処理速度で受信動作を行うための技術を提供することにある。
【０００９】
本発明の前記並びにその他の目的と新規な特徴は本明細書の記述及び添付図面から明らかになるであろう。
【課題を解決するための手段】
【００１０】
本願において開示される発明のうち代表的なものの概要を簡単に説明すれば下記の通りである。
【００１１】
すなわち、デジタル放送サービスの放送波チャンネルの受信を行うチューナと、上記チューナの出力信号から番組情報・配信情報を抜き出す番組情報・配信情報分離部とを設ける。そして、上記番組情報・配信情報分離部によって、抜き出された情報より、セグメント数を抽出する使用セグメント数判定部と、設定されたクロック信号に従って、上記チューナの出力信号に含まれる視聴対象パケットを処理する視聴対象パケット処理部とを設ける。さらに、上記使用セグメント数判定部で抽出されたセグメント数が、予め定めた閾値以下であるか否かを判定し、セグメント数が上記閾値以下の場合には、上記クロック信号を第１クロック信号に設定し、セグメント数が上記閾値以下でない場合には、上記クロック信号を第１クロック信号よりも高速な第２クロック信号に設定するクロック制御部を設ける。
【発明の効果】
【００１２】
本願において開示される発明のうち代表的なものによって得られる効果を簡単に説明すれば下記のとおりである。
【００１３】
すなわち、実際に必要とされる能力分の処理速度で受信動作を行うことができ、実効的に適切な省電力化を実現することができる。
【図面の簡単な説明】
【００１４】
【図１】本発明にかかるデジタル放送番組受信装置における主要動作のフローチャートである。
【図２】各種放送番組コンテンツが、様々なセグメント占有をしている様子の説明図である。
【図３】内部動作モード切り替えを実施した際の説明図である。
【図４】上記デジタル放送番組受信装置の一例とされる携帯電話端末の構成例ブロック図である。
【図５】上記デジタル放送番組受信装置の一例とされる携帯電話端末の別の構成例ブロック図である。
【発明を実施するための形態】
【００１５】
１．実施の形態の概要
先ず、本願において開示される発明の代表的な実施の形態について概要を説明する。代表的な実施の形態についての概要説明で括弧を付して参照する図面中の参照符号はそれが付された構成要素の概念に含まれるものを例示するに過ぎない。
【００１６】
〔１〕本発明の代表的な実施の形態に係るデジタル放送番組受信装置（４０）は、デジタル放送サービスの放送波チャンネルの受信を行うチューナ（１０４）と、上記チューナの出力信号から番組情報・配信情報を抜き出す番組情報・配信情報分離部（１１４，１１４Ａ，１１４Ｂ）とを含む。そして上記デジタル放送番組受信装置は、上記番組情報・配信情報分離部によって、抜き出された情報より、セグメント数を抽出する使用セグメント数判定部（１１５，１１７）と、設定されたクロック信号に従って、上記チューナの出力信号に含まれる視聴対象パケットを処理する視聴対象パケット処理部（１０６）とを含む。さらにデジタル放送番組受信装置は、上記使用セグメント数判定部で抽出されたセグメント数が、予め定めた閾値以下であるか否かを判定し、セグメント数が上記閾値以下の場合には、上記クロック信号を第１クロック信号に設定し、セグメント数が上記閾値以下でない場合には、上記クロック信号を第１クロック信号よりも高速な第２クロック信号に設定するクロック制御部（１１３，１１８）とを含む。
【００１７】
低速動作モード（第１クロック信号に設定）での視聴対象パケット処理は、高速動作モード（第２クロック信号に設定）での視聴対象パケット処理に比べて、処理時間が長くなる反面、クロック信号の周波数が低い分、回路における電力消費は少なくて済む。逆に、高速動作モード（第２クロック信号に設定）での視聴対象パケット処理は、低速動作モード（第１クロック信号に設定）での視聴対象パケット処理に比べて、処理時間が短くなる反面、クロック信号の周波数が高い分、回路における電力消費は多くなる。上記のようなモード切り替えにより、受信対象番組コンテンツの占有セグメント数に応じた内部動作モードの適応制御ができ、実効的に適切な省電力化を実現することができる。
【００１８】
〔２〕上記〔１〕において、上記番組情報・配信情報分離部は、コンテンツ配信情報を分離可能なコンテンツ配信情報分離部（１１４Ａ）と、ストリーム番組情報を分離可能なストリーム番組情報分離部（１１４Ｂ）とを含み、上記コンテンツ配信情報についてのセグメント数と、ストリーム番組情報についてのセグメント数とが、それぞれ別個に判定されるように構成することができる。この場合には、コンテンツ配信情報の使用セグメント数と、ストリーム番組情報の使用セグメント数とを個別的に判定することができ、その判定結果を、視聴対象パケット処理に反映させることができる。
【００１９】
２．実施の形態の詳細
実施の形態について更に詳述する。
【００２０】
図４には、本発明にかかるデジタル放送番組受信装置の一例とされる携帯電話端末が示される。
【００２１】
図４に示される携帯電話端末４０は、特に制限されないが、放送チューナ１０４、制御部１０１、映像復号部１０８、表示部１０９、音声復号部１１０、音声出力部１１１、記憶部１０５、操作部１０２を含む。制御部１０１は端末全体の制御を行う。操作部１０２は制御部１０１にユーザからの指示を与えるのに用いられる。放送チューナ１０４は、アンテナ１０３を介してデジタル放送を受信する。この放送チューナ１０４には、デジタル放送を選局したり復調したりする機能が含まれる。記憶部１０５は、制御部１０１の動作プログラムや受信したデジタル放送のデータ等を保存するために利用される。映像復号部１０８は、圧縮された映像データを復号する。表示部１０９は、映像復号部１０８で復号された映像を表示する。音声復号部１１０は、圧縮された音声データを復号する。音声出力部１１１は、音声復号部１１０で復号された音声を出力する。
【００２２】
上記制御部１０１は、特に制限されないが、番組情報・配信情報分離部１１４、使用セグメント数判定部１１５、視聴対象パケット処理部１０６、動作クロック設定部１１３、及び動作モード切換判定部１１８を含む。
【００２３】
番組情報・配信情報分離部１１４は、放送チューナ１０４から出力されるＴＳ（トランスポートストリーム）データの中から番組情報・配信情報を分離する。使用セグメント数判定部１１５は、上記番組情報・配信情報分離部１１４で取得された使用セグメント数を判定する。動作モード切換判定部１１８は、上記使用セグメント数判定部１１５で判定されたセグメント数と、予め定めた閾値との比較を行うことにより動作モードの切り替え判定を行う。動作クロック設定部１１３は、上記動作モード切換判定部１１８での判定結果に従って動作クロックの周波数を決定する。視聴対象パケット処理部１０６は、上記動作クロック設定部１１３で設定されたクロック信号に同期して視聴対象パケットのデジタル処理を行う。
【００２４】
図１には、上記構成の携帯電話端末における主要動作の流れが示される。
【００２５】
デジタル放送の受信が開始されると（ステップ６０１）、それに続いて、番組情報や配信情報が送出されてくる専用のセグメントであるパイロットセグメントが設定される（ステップ６０４）。そして、デジタル放送波信号（放送ＴＳパケット）が受信される（ステップ６０６）。すると、ステップ６０６にて受信したデータ内の情報と照合され、受信対象コンテンツの特性の切り替わりが発生したか否かの判別が行われる（ステップ６０７）。この判別において、切り替わり無しと判断された場合には、ステップ６０６に移る。また、上記ステップ６０７の判別において、切り替わり有りと判断された場合には、使用セグメント数の抽出・判定が行われる（ステップ６０８）。この処理に続いて、セグメント数が予め定めた閾値Ｎ（Ｎは、自然数：例えば２）より少ないか否かの判別が行われる（ステップ６１５）。このステップ６１５の判別において、セグメント数が閾値よりも少ないと判断された場合には、低速動作モード（低速クロック信号に設定）へ切り替えが行われる（ステップ６１０）。また、上記ステップ６１５の判別において、セグメント数が閾値以上と判断された場合には、高速動作モード（高速クロック信号に設定）へ切り替えられる（ステップ６１７）。そしてステップ６１０、ステップ６１７の処理後には、ステップ６０６の処理に戻る。
【００２６】
以上の動作は、基本的には制御部１０１において実行される。低速動作モード（低速クロック信号に設定）での視聴対象パケット処理は、高速動作モード（高速クロック信号に設定）での視聴対象パケット処理に比べて、処理時間が長くなる反面、クロック信号の周波数が低い分、回路における電力消費は少なくて済む。逆に、高速動作モード（高速クロック信号に設定）での視聴対象パケット処理は、低速動作モード（低速クロック信号に設定）での視聴対象パケット処理に比べて、処理時間が短くなる反面、クロック信号の周波数が高い分、回路における電力消費は多くなる。上記のようなモード切り替えにより、受信対象番組コンテンツの占有セグメント数に応じた内部動作モードの適応制御ができ、実効的に適切な省電力化を実現することができる。
【００２７】
図２には、マルチメディア放送番組の編成例が示される。
【００２８】
右方向が時間経過の方向で、縦軸方向はセグメントの区分けであり、同時刻における周波数帯域の配分に相当する。
【００２９】
この例では、＃０から＃２０のセグメント数は２１個であり、＃６のセグメントが、番組情報専用のパイロットセグメントとして、位置づけられている。例えば、番組Ａ−１は、３セグメントを占有し、番組Ｂ−１は１セグメントを占有しており、更に、時間経過によって、そのセグメント配分は、ダイナミックに変動編成されうる。
【００３０】
図３には動作モード切り替わりの様子が示される。
【００３１】
受信番組設定２０４により、受信対象が特定され、当該受信番組が、番組Ａ（３セグ使用）２０５と判明すると、その時点で、動作モードを高速クロック設定２１４とする。
【００３２】
次に、受信対象が変わらなければ、番組Ａ（３セグ使用）２０６が再度判明しても、動作モードは不変・継続２１５となる。その後、受信番組設定２０７により、受信対象が切り替わり、当該受信番組が、番組Ｂ（１セグ使用）２０８と判明すると、その時点で、動作モードを低速クロック設定２１６とする。更に、受信対象が変わらなければ、番組Ｂ（１セグ使用）２０９が再度判明しても、動作モードは不変・継続２１７となる。その後、受信対象が切り替わり、当該受信番組が、番組Ｃ（３セグ使用）２１０と判明すると、その時点で、動作モードを高速クロック設定２１８とする。
【００３３】
この例では、低速／高速動作の切り替え条件閾値を、１セグ以下／２セグ以上としている。
【００３４】
このように、セグメント使用状況に追従して、動作モードを適切に制御できる。
【００３５】
図５には、上記デジタル放送番組受信装置の一例とされる携帯電話端末の別の構成例が示される。
【００３６】
図５に示される端末が、図４に示されるのと大きく相違するのは、コンテンツ配信情報分離部１１４Ａとストリーム番組情報分離部１１４Ｂと、使用セグメント数判定部１１７とが配置されている点である。コンテンツ配信情報分離部１１４Ａとストリーム番組情報分離部１１４Ｂは、図４における番組情報・配信情報分離部１１４に対応する。コンテンツ配信情報分離部１１４Ａは、放送チューナ１０４の出力信号からコンテンツ配信情報を分離する。ストリーム番組情報分離部１１４Ｂは、放送チューナ１０４の出力信号からストリーム番組情報を分離する。使用セグメント数判定部１１５は、上記コンテンツ配信情報分離部１１４Ａで分離されたコンテンツ配信情報の使用セグメント数を判定する。使用セグメント数判定部１１７は、上記ストリーム番組情報分離部１１４Ｂで分離されたストリーム番組情報の使用セグメント数を判定する。動作モード切換判定部１１８は、上記使用セグメント数判定部１１５，１１７での判定結果に基づいて動作モードを判定する。上記の構成によれば、コンテンツ配信情報の使用セグメント数と、ストリーム番組情報の使用セグメント数とを個別的に判定することができ、その判定結果を、視聴対象パケット処理に反映させることができる。
【００３７】
以上本発明者によってなされた発明を実施形態に基づいて具体的に説明したが、本発明はそれに限定されるものではなく、その要旨を逸脱しない範囲において種々変更可能であることは言うまでもない。
【符号の説明】
【００３８】
４０  携帯電話端末
１０１  制御部
１０２  操作部
１０３  アンテナ
１０４  放送チューナ
１０５  記憶部
１０６  視聴対象パケット処理部
１０８  映像復号部
１０９  表示部
１１０  音声復号部
１１１  音声出力部
１１３  動作クロック設定部
１１４  番組情報・配信情報分離部
１１４Ａ  コンテンツ配信情報分離部
１１４Ｂ  ストリーム番組情報分離部
１１５，１１７  使用セグメント数判定部
１１８  動作モード切替判定部
【図１】
2011124910.tif 000003
【図２】
2011124910.tif 000004
【図３】
2011124910.tif 000005
【図４】
2011124910.tif 000006
【図５】
2011124910.tif 000007